(57)【特許請求の範囲】
【請求項１】
フレキシブルな合成樹脂シートから成る伸縮自在の長尺中空筒状ブーム内に、コイル状チューブから成る薬液供給管を前記筒状ブームの伸縮に応じてほぼ直線状またはコイル状に伸縮可能に取り付け、前記薬液供給管に複数の薬液噴霧ノズルを配列し、これらのノズルに対応して前記筒状ブームの周壁に伸縮自在の多孔性部材を設け、前記筒状ブームを伸縮自在の支持棹によって支持し、前記筒状部材の一端をブロアに接続した発泡剤散布用ブーム装置。
【請求項２】
前記中空筒状ブームは、前記ブロアの風圧によって形状を保持される請求項１に記載の発泡剤散布用ブーム装置。
【請求項３】
前記ブームの一端とブロアが屈曲自在のベローズを介して接続された請求項１又は２に記載の発泡剤散布用ブーム装置。
【請求項４】
前記ブームがトラクタに装着牽引されるケーシングの後部両側にそれぞれ取り付けられた請求項１から３のいずれかに記載の発泡剤散布用ブーム装置。
【発明の詳細な説明】
【０００１】
【発明の技術分野】
この発明は、発泡剤散布用ブーム装置に関する。
【０００２】
【従来の技術】
大規模農場等で薬剤を散布する場合、ブームスプレーヤが用いられる。これは長尺の支柱に、多数のノズルを有するパイプを取り付け、タンク内の薬液をポンプで前記パイプに圧送して、ノズルから噴霧するようになっているが、風によって薬剤が近辺に飛散する恐れがある。
【０００３】
そこで薬剤を発泡させて散布する方法が考えられる。例えば、特開昭５７−４３６３１号公報、実公昭５７−４８３８１号公報には、起泡剤等を含む薬剤を多孔性部材にノズルで噴霧し、ノズルの後方からブロアで送風して多孔性部材に衝突した噴射液を発泡させる方法及び装置が開示されている。
【０００４】
【発明の課題】
上記のような装置は、大規模農場等で薬剤を散布するのには適していない。例えばトラクタ等に装着して一挙に広範囲に散布することができないからである。
【０００５】
そこで、この発明の課題は、広範囲にわたって発泡剤を散布することができるブーム装置を提供することである。
【０００６】
【課題の解決手段】
上記の課題を解決するため、この発明においては、フレキシブルな合成樹脂シートから成る伸縮自在の長尺中空ブーム内に、コイル状チューブから成る薬液供給管を前記筒状ブームの伸縮に応じてほぼ直線状またはコイル状に伸縮可能に取り付け、前記薬液供給管に複数の薬液噴霧ノズルを配列し、これらのノズルに対応して筒状ブームの周壁に伸縮自在の多孔性部材を設け、前記筒状ブームを伸縮自在の支持棹によって支持し、前記筒状ブームの一端をブロアに接続した構成を採用したのである。
【０００７】
前記中空筒状ブームは、前記ブロアの風圧によって形状を保持されるようになっている。
【０００８】
前記ブームの一端とブロアを、屈曲自在のベローズを介して接続しておくのが好ましい。
【０００９】
前記筒状ブームは、トラクタに牽引されるケーシングの後部両側にそれぞれ取り付けて使用することができる。
【００１０】
【実施の形態】
以下、この発明の実施形態を添付図面に基づいて説明する。図１及び図２に示すように中空筒状ブーム１０内には、その長さ方向に薬液の供給管１１が取り付けられ、この供給管１１には、所定の間隔をもって薬液の噴霧ノズル１２が複数個（好ましくは３個以上）取り付けられ、これらのノズル１２に対応して、筒状ブーム１０に開口１３が設けられ、この開口１３にスポンジやネットから成る多孔性部材１４が張設されている。なお、多孔性部材１４に代え筒状ブーム１０の周壁に多数の細かい孔を形成してもよい。
【００１１】
前記筒状ブーム１０の一端は閉鎖され、他端には、屈曲自在のベローズ１５が接続され、筒状ブーム１０の角度を自由に変えることができるようになっており、このベローズ１５にブロア１６が接続されている。一方、ノズル１２を取り付けた供給管１１は、管１９によってポンプ１７を介して薬液タンク１８に接続されている。薬液タンク１８には、希釈された薬剤に起泡剤、安定剤などを混合したものが貯留されている。
【００１２】
いま、薬液をタンク１８からポンプ１７で供給管１１に圧送すると、薬液はノズル１２から筒状ブーム１０の開口１３に向って噴霧される。同時にブロア１６を起動して筒状ブーム１０内に風を送り込むと、開口１３に設けられた多孔性部材１４に付着した薬液粒子が気泡化され、多孔性部材１４の外部に薬液の気泡が流出し散布される。
【００１３】
なお、ブーム１０の長さは４〜６ｍが好ましく、ノズル１２の取付けピッチは１０〜３０ｃｍが適当である。また、ノズル１２と多孔性部材１４とは必ずしも一対一で対応させて配置する必要はない。
【００１４】
図３及び図４に示すように、伸縮自在の支持棹２０は、複数の杆２１、２２、２３、２４をそれぞれテレスコープ結合したものであって、各杆の先端には、支持リング２１ａ、２２ａ、２３ａ、２４ａがほぼ直角に固着されており、これらのリング２１ａ〜２４ａによって、フレキシブルな耐水性、耐薬品性材料、例えば塩化ビニルのような合成樹脂シートから成る伸縮自在の筒状ブーム１０ａの胴部が支持されている。このブーム１０ａ内には、コイル状チューブから成る薬液供給管１１ａが取り付けられ、ブーム１０ａの伸縮に応じてほぼ直線状に伸長したり、コイル状に収縮するようになっている。この薬液供給管１１ａには、複数（好ましくは３以上）のノズル１２が多孔性部材１４に対応して取り付けられている。この多孔性部材１４も伸縮自在になっている。その他の構造は図１及び図２とほぼ同じである。
【００１５】
前記支持棹２０は、手動で伸縮させるものでもよいが、公知の電動機構や油圧機構を用いることができる。そして支持棹２０の先端の杆２１に固定したリング２１ａに、ブーム１０ａの先端を固着しておくと支持棹２０の伸縮に応じてブーム１０ａが伸縮する。支持棹２０が伸長する際、同時にブロア１６も作動させると、風圧によってブーム１０ａの胴部もスムーズに伸長し、かつブーム包被に皺等が生じることがない。また、薬液散布中もブロア１６が作動しているため、風圧によってフレキシブルなブーム１０ａは膨脹しその形状を安定して保持することができ、数個所のリング２１ａ〜２４ａでフレキシブルなブーム１０ａを充分支持可能である。
【００１６】
上述のようなブーム装置は、例えば図５に示すように、台車等のケーシング３０に、前記ブロア１６、ポンプ１７、薬液タンク１８、その他駆動モータ等を組込み、ケーシング３０の後部両側にブーム１０を支持し、ケーシング３０をトラクタＴに装着して農場等に散布できるようにすればよい。
【００１７】
【発明の効果】
この発明によれば、以上のように、長尺の筒状ブーム内に多数の薬液噴霧ノズルを配置し、これらのノズルに対応して多孔性部材を設け、前記筒状ブームの一端にブロアを接続してノズルから噴霧された薬液を気泡化し、広範囲に薬剤の気泡を散布できるようにしたので、スプレーヤによる薬剤の散布と違って風により飛散することが少なく、散布した個所が明確になるため散布のバラツキが少ない利点がある。
【図面の簡単な説明】
【図１】この発明のブーム装置の一例を示す縦断面図
【図２】同上の横断面図
【図３】ブーム装置の他の例を示す縦断面図
【図４】同上を収縮させた状態を示す縦断面図
【図５】ブーム装置をトラクタに装着した状態を示す平面図
【符号の説明】
１０、１０ａ  筒状ブーム
１１、１１ａ  薬液供給管
１２  ノズル
１３  開口
１４  多孔性部材
１５  ベローズ
１６  ブロア
１７  ポンプ
１８  薬液タンク
１９  管
２０  支持棹
２１、２２、２３、２４  杆
２１ａ、２２ａ、２３ａ、２４ａ  支持リング
３０  ケーシング
Ｔ  トラクタ
【図１】
0004302215.tif 000002
【図２】
0004302215.tif 000003
【図３】
0004302215.tif 000004
【図４】
0004302215.tif 000005
【図５】
0004302215.tif 000006